(57)【要約】【課題】本体の側面に記録部が設けられたカセットを用いてパラフィンブロック付着体を作成する際に、記録部にパラフィンが付着して該記録部の文字が見え難くなったり、付着したパラフィンを除去する煩雑なトリミング作業を必要としない病理組織検査標本作成用の包埋トレイを提供する。【解決手段】  パラフィン収容部２は底部３とその周りに立設された側壁４とからなる上面が開口した方形の容器からなり、該収容部２の各上端角部にはカセット支承部５が設けられ、各側壁４の上端からはカセットをパラフィン収容部２上に載置し係止する係止壁６が立設され、少なくともカセットの記録部Ｃ３が配置される辺は、隣り合うカセット支承部５，５間が側壁４から係止壁６に渡って略面一に形成されるとともに、係止壁６が実質的に該記録部Ｃ３を覆わないように低く形成され、更に、該係止壁の外周に略水平状の額縁部を備えていないことを特徴とする病理組織検査標本作成用の包埋トレイ１である。【選択図】図１
2008145218.tif 000002
【特許請求の範囲】
【請求項１】
パラフィン収容部の上端にカセットを載置して使用する病理組織検査標本作成用の包埋トレイであって、前記パラフィン収容部は底部とその周りに立設された側壁とからなる上面が開口した方形の容器からなり、該収容部の各上端角部にはカセット支承部が設けられ、各側壁の上端からはカセットをパラフィン収容部上に載置し係止する係止壁が立設され、少なくともカセットの記録部が配置される辺は、隣り合うカセット支承部間が側壁から係止壁に渡って略面一に形成されるとともに、係止壁が実質的に該記録部を覆わないように低く形成され、更に、該係止壁の外周に略水平状の額縁部を備えていないことを特徴とする病理組織検査標本作成用の包埋トレイ。
【請求項２】
四辺の全ての辺において、隣り合うカセット支承部間が側壁から係止壁に渡って略面一に形成されるとともに、係止壁が実質的に該記録部を覆わないように低く形成され、更に、該係止壁の外周に略水平状の額縁部を備えていないことを特徴とする請求項１記載の病理組織検査標本作成用の包埋トレイ。
【請求項３】
カセットの記録部が配置される辺の係止壁の高さは、パラフィン収容部上に載置するカセットの高さの４分の１以下であることを特徴とする請求項１又は２記載の病理組織検査標本作成用の包埋トレイ。
【請求項４】
把持部が、カセットの記録部が配置されない係止壁の上端から横設されていることを特徴とする請求項１〜３のいずれかに記載の病理組織検査標本作成用の包埋トレイ。
【請求項５】
パラフィン収容部の形状が左右非対称であることを特徴とする請求項１〜４のいずれかに記載の病理組織検査標本作成用の包埋トレイ。
【発明の詳細な説明】
【技術分野】
【０００１】
本発明は病理組織検査標本作成用の包埋トレイに関し、更に詳しくは、本体の側面に記録部が設けられたカセットを用いてパラフィンブロック付着体を作成する際に、記録部にパラフィンが付着して該記録部の文字が見え難くなったり、付着したパラフィンを除去する手間と時間を要する煩雑なトリミング作業を必要としない病理組織検査標本作成用の包埋トレイに関する。
【背景技術】
【０００２】
従来、この種の病理組織検査標本作成用の包埋トレイとしては、図１９に示したようなものが多用されている。この包埋トレイＴはパラフィン収容部Ｔ１と、その周縁に水平状に設けられた、カセットを載置するためのカセット支承部Ｔ２と、その周縁に立設されたカセットの動きを止めるためのカセット係止部Ｔ３と、その周縁に水平状に設けられた額縁部Ｔ４となり、更に、長手方向の額縁部Ｔ４の略中央部に横設された把持部Ｔ５とから構成されている。
【０００３】
また、近年では、方形の容器からなるパラフィン収容部とその周縁に設けられたパラフィンブロック付着体の載置部とからなり、前記載置部が少なくとも２個設けられており、サイズの異なる２種類以上のカセット等に対応できる病理組織検査標本作成用トレイが知られている（例えば、特許文献１参照）。
【０００４】
上記病理組織検査標本作成用トレイを使用して顕微鏡標本を作製するには、図２０，図２１に示すように、まず、カセット本体Ｃ１内に採取した検体Ｓを収容して蓋Ｃ２を取り付けて、記録部Ｃ３には被験者の氏名や番号等を記入しておく。次いで、カセット本体Ｃ１の底部や蓋Ｃ２に穿設された透孔Ｃ４から水を流入させて、検体Ｓを水洗し、次いでアルコールにより検体Ｓの水分を除去し、キシレンにより後述する液状パラフィンとの親和性を付与する。
【０００５】
次に、図２２に示すとおり、検体ＳをトレイＴに移して該トレイＴのカセット支承部Ｔ２にカセット本体Ｃ１の底部を載せ、上方からパラフィンＰを注入する。この場合、通常パラフィンＰの注入作業性の面から、トレイＴの額縁部Ｔ４からオーバーフローするまで注入される。次いで、パラフィンＰを冷却固化させた後、トレイＴを取り除くことにより、図２３に示したように、検体Ｓを包埋したパラフィンＰがカセット本体Ｃ１の底部に付着してなるパラフィンブロックＢを得る。その後、ミクロトームでパラフィンに包埋された検体Ｓをスライスして薄片を得て、これに染色等の所定の処理を施すことにより顕微鏡標本を得るのである。
【０００６】
しかしながら、上記の方法では、図２３に示すように、カセット本体Ｃ１の記録部Ｃ３に記載した被験者の氏名や番号等がパラフィンＰ１により覆われ、記録内容を十分に確認することができないため、このパラフィンＰ１をナイフで削り取るトリミング作業が不可欠である。しかしながら、固化したパラフィンは硬く、このパラフィンＰ１の削り取り作業は極めて面倒で、作業性を大きく低下させる。またナイフでの削り取り作業の際に、記録部Ｃ３の表面が傷付けられ、この傷が益々パラフィンを強固に付着させ、トリミング作業を一層厄介なものとするばかりでなく、カセット本体Ｃ１の外観を損ない、また、繰り返し使用の回数を低下させる原因となる。
【０００７】
一方、上記面倒なパラフィンＰ１のトリミング作業を回避せんとして、パラフィンＰが記録部Ｃ３を覆わないように注意してパラフィンＰのレベルをカセット係止部Ｔ３の下位に止めるように注入しようとする事が考えられるが、この場合は、パラフィンＰ１の注入に細心の注意が必要で、注入作業が面倒となるとともに、時間が掛かり、結局、作業性の大幅な低下は避けられない。
他方、パラフィンＰ１のトリミング作業を行わず、記録部Ｃ３の記録内容の確認が不十分な状態で作業を進めると、被験者を誤認し、信頼性が大きく損なわれるという重大な結果を招くことになる。
【特許文献１】特開２００６−３００７４５号公報
【発明の開示】
【発明が解決しようとする課題】
【０００８】
本発明者らは、かかる実情に鑑み、上記問題点を解消するべく鋭意研究の結果、上記現象は、第１に、従来の包埋トレイがパラフィンの溜まり易い水平部分からなるカセット支承部Ｔ２や額縁部Ｔ４を有するためであり、第２に、カセット係止部Ｔ３が不必要に高いことに起因することを突き止め、少なくともカセットの記録部が配される辺については、包埋トレイのカセット支承部を形成する水平部分を極力少なくするとともに、カセット係止部を低くすることにより、初期の目的が達成されることを見出し、本発明を完成するに至った。
【課題を解決するための手段】
【０００９】
本発明は上記目的を達成するためになされたもので、本発明の請求項１は、パラフィン収容部の上端にカセットを載置して使用する病理組織検査標本作成用の包埋トレイであって、前記パラフィン収容部は底部とその周りに立設された側壁とからなる上面が開口した方形の容器からなり、該収容部の各上端角部にはカセット支承部が設けられ、各側壁の上端からはカセットをパラフィン収容部上に載置し係止する係止壁が立設され、少なくともカセットの記録部が配置される辺は、隣り合うカセット支承部間が側壁から係止壁に渡って略面一に形成されるとともに、係止壁が実質的に該記録部を覆わないように低く形成され、更に、該係止壁の外周に略水平状の額縁部を備えていないことを特徴とする病理組織検査標本作成用の包埋トレイを内容とする。
【００１０】
本発明の請求項２は、四辺の全ての辺において、隣り合うカセット支承部間が側壁から係止壁に渡って略面一に形成されるとともに、係止壁が実質的に該記録部を覆わないように低く形成され、更に、該係止壁の外周に略水平状の額縁部を備えていないことを特徴とする請求項１記載の病理組織検査標本作成用の包埋トレイを内容とする。
【００１１】
本発明の請求項３は、カセットの記録部が配置される辺の係止壁の高さは、パラフィン収容部上に載置するカセットの高さの４分の１以下であることを特徴とする請求項１又は２記載の病理組織検査標本作成用の包埋トレイを内容とする。
【００１２】
本発明の請求項４は、把持部が、カセットの記録部が配置されない係止壁の上端から横設されていることを特徴とする請求項１〜３のいずれかに記載の病理組織検査標本作成用の包埋トレイを内容とする。
【００１３】
本発明の請求項５は、パラフィン収容部の形状が左右非対称であることを特徴とする請求項１〜４のいずれかに記載の病理組織検査標本作成用の包埋トレイを内容とする。
【発明の効果】
【００１４】
本発明の病理検査標本作成用の包埋トレイは、少なくともカセットの記録部が配置される側壁において、隣り合うカセット支承部間が側壁から係止壁に渡って略面一に形成され、且つ、壁部の係止壁は実質的に該記録部を覆わないように低く形成されるとともに、該係止壁の外周に略水平状の額縁部を備えていないので、余分のパラフィンは云わば切りっ放しの係止壁により下方に切り落とされる。また、記録部の下方にはパラフィンが滞留し盛り上がるような水平部分がなく、記録部をパラフィンが覆うようなことがなくなる。従って、付着したパラフィンを削り取る面倒なトリミング作業が不要で、作業性が高められるとともに、容易且つ確実に記録内容を確認できる。
この係止壁の高さはカセットの高さの４分の１以下が好ましく、より好ましくは５分の１以下であり、この程度であると、実質上記載された文字等がパラフィンで覆われるようなこともない。
【００１５】
また、カセットの記録部が配される辺のみならず、残りの三辺も含め四辺全ての辺を同様の構造とすることにより、包埋トレイの材料が節約できるとともにパラフィンの量も少なくてすみ、更に、四辺の切りっ放しの係止壁によりパラフィンが下方に切り落とされるので作業性が高められる。
【００１６】
また、把持部をカセットの記録部が配置されない壁部の係止壁の上端から横設すれば、例え把持部の上にパラフィンが盛り上がったとしても記録部に記載された被験者名等を覆うことがなく、且つ該トレイが持ちやすくなるので、作業性は大巾に向上する。
【００１７】
さらに、パラフィン収容部の形状を左右非対称とすれば、顕微鏡標本を作製したとき、パラフィンの形状で標本の左右が判別できるため、標本の取り違え等の危険性が減少し、検査の信頼性が向上する。
【発明を実施するための最良の形態】
【００１８】
本発明の病理検査標本作成用の包埋トレイ（以下、単に包埋トレイと記す）は、パラフィン収容部の上端にカセットを載置して使用される。本発明の包埋トレイは、パラフィン収容部が底部とその周りに立設された側壁とからなる上面が開口した方形の容器からなり、該収容部の各上端角部にはカセット支承部が設けられ、各側壁の上端からはカセットをパラフィン収容部上に載置し係止する係止壁が立設され、少なくともカセットの記録部が配置される辺は、隣り合うカセット支承部間が側壁から係止壁に渡って略面一に形成されるとともに、係止壁が実質的に該記録部を覆わないように低く形成され、更に、該係止壁の外周にはパラフィンの滞留し易い略水平状の額縁部を備えていないことを特徴とするものである。
【００１９】
本発明の包埋トレイは液状（溶融）パラフィンに耐える耐熱性素材から作られ、かかる素材としては、ステンレス等の金属、ポリエステル、ポリアミド、ポリカーボネート、ポリアセタール等の樹脂等が挙げられる。
【００２０】
パラフィン収容部は、パラフィンブロックの脱型を容易にするため、通常、側壁が底部から開口部に向かって末広がりのテーパー状の容器からなる。
【００２１】
パラフィン収容部の各上端角部にはカセット支承部が設けられる。該カセット支承部は、パラフィンブロック収容部の上端角部にカセットを載置できるものであれば特に制限されないが、パラフィン収容部の角部をやや内側に陥入させた構造が例示できる。カセット支承部の形状は特に制限されず、三角形、四角形、扇形等のいずれでもよい。
なお、パラフィンはこのカセット支承部の上で盛り上がってカセットの角部を覆う場合があるが、検体を識別するための文字等は、通常の場合、記録部の中央部寄りに記載されるため、盛り上がったパラフィンにより隠される恐れは殆どない。しかしながら、この恐れを更に小さくするため、少なくとも記録部が配置される側壁に接するカセット支承部はできるだけ小さい方が好ましい。
【００２２】
各側壁の上端からはカセットをパラフィン収容部上に載置し係止する係止壁が立設される。係止壁の高さは、カセットの側部を覆うパラフィンを減らし、記録部に記載された文字等を確実に読み取るために、実質的に該記録部を覆わないように低く形成される。
具体的な係止壁の高さはカセットの大きさに応じて適宜決定すればよく、特に限定されないが、記録部に記載する文字の大きさ等を考慮すると、好ましくは該カセットの高さの４分の１以下、より好ましくは５分の１以下であれば、記録部に記載される文字等が隠される恐れが少なく、記録部は実質的に覆われない。
【００２３】
本発明において、少なくともカセットの記録部が載置される辺では、パラフィン収容部の側壁からその上部の係止壁まで略面一に形成される。これにより側壁から係止壁にかけてパラフィンが溜まることろがなく、従ってパラフィンが盛り上がった状態で固化し記録部の文字が隠される恐れがなくなる。なお、ここでいう略面一とは、パラフィンを貯留させるような突部や水平部分がないことを意味するのであって、適正なカセット装着位置を示すために線や型番などが刻印される程度の凹凸はあってもかまわない。
また、カセットの記録部が設けられていない面がパラフィンで覆われても記録の読み取りには支障がないため、記録部が配置されない側壁については必ずしも略面一にする必要はない。特に、把持部をカセットの記録部が配置されない側壁や係止壁の上端から横設し、この把持部の上でパラフィンが盛り上がったとしても記録部の文字を隠すことはないので特に不都合はない。
【００２４】
しかしながら、カセットの記録部が配される辺のみならず、残りの三辺も含め四辺全ての辺を同様の構造とすることにより、包埋トレイの材料が節約できるとともにパラフィンの量も少なくてすみ、更に、四辺の切りっ放しの係止壁によりパラフィンが下方に切り落とされるので作業性が高められる。
【００２５】
パラフィン収容部の形状は、左右非対称とすることにより、ミクロトームでスライスされた薄片の左右が明確に区別されるので、作業性が高められ、また左右誤認により検体を取り違えるといったトラブルが防止されるので、検査の信頼性が向上する。
左右非対称とする方法は特に限定されないが、例えば、角部のアール半径を変える（大きくする）方法、角部の形状を変える方法、記録部が配置されない辺の側壁を波形にするなどの方法が採用できる。
【００２６】
本発明の包埋トレイでパラフィンブロックを作成するカセットは側面に記録部を有するカセットであれば特に限定はなく、代表的なカセットとして、図１７，２０に示すように、側壁外側にミクロトームのアダプターにより係止するためのアダプター係止部Ｃ５を設けたカセット、図１８, ２１に示したように、斜面状の記録部Ｃ３を設けたカセット等が挙げられる。
【実施例】
【００２７】
以下、本発明を図面に基づいて更に詳細に説明するが、本発明はかかる実施例のみに限定されないことは云うまでもない。
【００２８】
実施例１
本実施例の包埋トレイ１は、図１〜図３に示すように、底部３とそれを取り囲む側壁４とから形成される方形の容器からなるパラフィン収容部２と、該収容部２の上端、即ち、該収容部２の開口部に四辺とも低く立設された係止壁６と、係止壁６の上端から横設された把持部７からなる。
パラフィン収容部２の右側及び左上の角部は若干内側に陥入されてアール処理されており、その上端からは水平にカセット支承部５が延設されている。そして、左下の角部は他の角部と比較して大きく嵌入されており、その上端から延設されるカセット支承部５ａも大きくされている。これによりパラフィン収容部２は左右非対称とされており、パラフィンブロックＢから顕微鏡標本を作製した後も、その検体を含むパラフィンの形状を見ることによりその検体の向きを判断できる。
【００２９】
図４は本実施例の包埋トレイ１の断面図を実線で示すと共に、検体ＳとカセットＣを破線で示した図である。なお、図４におけるカセットＣは図１７及び図２０に示したものである。この包埋トレイ１は、破線で示したように、検体Ｓをパラフィン収容部２に投入するとともに、カセット本体Ｃ１をカセット支承部５の上に載置して使用する。この場合、カセット本体Ｃ１の記録部Ｃ３は把持部７が設けられていない辺、具体的には図４における左右の辺（図１における右辺と左辺）のいずれかに配置されるが、本図においては右辺に配置されている。
【００３０】
本実施例の包埋トレイ１の四辺全ての辺においてカセット支承部５，５の間の部分は、側壁４からその上端の係止壁６まで略面一とされ、即ち、この部分には支承部や把持部といった水平部分がなく、係止壁６から側壁４にかけてパラフィンが溜まるところがない。従って図５で示したように、、本実施例の包埋トレイ１を用いて使用したパラフィンブロックＢでは、固化したパラフィンが盛り上がって記録部に記載される文字等Ｎが隠される事もない。
なお、図５では、パラフィンブロックＢの角部ではパラフィンＰがカセット支承部５の上部で少し盛り上がっているが、この程度の盛り上がりは特に問題ではなく、また、通常の場合、被験者の名前等Ｎは記録部Ｃ３の中央寄りに記録されるため、実質的に記録の読み取りには支障がない。また、把持部６の上に余分なパラフィンＰ１が盛り上がっているが、把持部６はカセットの記録部が配置されない係止壁６の上端から横設されており、当然このパラフィンＰ１が記録部の文字等Ｎを隠すことはない。
【００３１】
本実施例においてパラフィン収容部の大きさは、開口部が４０ｍｍ×２８ｍｍ、底部が３６．６ｍｍ×２５．６ｍｍ、高さが８ｍｍである。パラフィン収容部の上端に立設された係止壁の高さは１．２ｍｍであり、その上端から横設される把持部７は２ｍｍ×２０ｍｍである。なお、使用する予定のカセットの高さは６．４ｍｍであるので、係止壁の高さはカセットの高さの４分の１以下（１．２／６．４）である。
【００３２】
実施例２
本実施例の包埋トレイ１は、図６に示すように、実施例１の図１において、左下の大きいカセット支承部５ａを他の３つのカセット支承部５と同じ大きさとした他は実施例１と同様である。
【００３３】
実施例３
本実施例の包埋トレイ１は、図７〜図９に示すように、底部３とそれを取り囲む側壁４とから形成される方形の容器からなるパラフィン収容部２と、該収容部２の上端、即ち、該収容部２の開口部に立設された係止壁６と、係止壁６の上端から横設された把持部７からなる。
パラフィン収容部２の右側の角部は若干内側に陥入されてアール処理されており、上下及び左側の側壁４の上端全体からカセット支承部５が横設されている。従って、本実施例ではパラフィン収容部２の各上端角部を含む広範な部分にカセット支承部５ａが設けられ、カセットＣはより安定的にパラフィン収容部２上に載置される。左下の角部は他の角部と比較して大きく嵌入されており、その上端から延設されるカセット支承部５も大きくされている。これによりパラフィン収容部２は左右非対称とされており、パラフィンブロックＢから顕微鏡標本を作製した後も、検体Ｓを含むパラフィンＰの形状を見ることによりその検体Ｓの向きを判断できる。
【００３４】
図１０は本実施例の包埋トレイ１の断面図を実線で示すと共に、検体ＳとカセットＣを破線で示した図である。なお、図１０におけるカセットＣは図１８及び図２１に示したものである。この包埋トレイ１は、破線で示したように、検体Ｓをパラフィン収容部２に投入するとともに、カセット本体Ｃ１をカセット支承部５の上に載置して使用する。この場合、カセット本体Ｃ１の記録部Ｃ３はカセット支承部５及び把持部７がいずれも設けられていない辺、具体的には図１０における右辺（図７における右辺）に配置される。
【００３５】
本実施例の包埋トレイ１の右辺（カセット本体Ｃ１の記録部Ｃ３が配される側）においてカセット支承部５の間の部分は、側壁４から係止壁６まで略面一とされ、即ち支承部や把持部といった水平部分がなく、係止壁６から側壁４にかけてパラフィンが溜まるところがない。従って、本実施例の包埋トレイ１を用いて使用したパラフィンブロックＢでは、固化したパラフィンが盛り上がって記録部に記載される被験者の名前等Ｎが隠される事もない。
なお、図１１で示したように、パラフィンブロックＢの左右ではパラフィンＰがカセット支承部５の上部で少し盛り上がっているが、この程度の盛り上がりは特に問題ではなく、また、通常の場合、名前等Ｎは記録部Ｃ３の中央寄りに記録されるため、実質的に記録の読み取りには支障がない。また、把持部６の上に余分なパラフィンＰ１が盛り上がっているが、把持部６はカセットの記録部が配置されない係止壁６の上端から横設されており、当然このパラフィンＰ１が記録部の名前等Ｎを隠すことはない。
【００３６】
本実施例においてパラフィン収容部の大きさは、開口部が４１．６ｍｍ×２８．８ｍｍ、底部が３６．６ｍｍ×２５．６ｍｍ、高さが８．４ｍｍである。パラフィン収容部の上端に立設された係止壁の高さは、記録部が配置される右側で１．２ｍｍ、その他で２．２ｍｍであり、その上端から横設される把持部７は２ｍｍ×２０ｍｍである。なお、使用する予定のカセットの高さは６．４ｍｍであるので、記録部が配置される側壁の係止壁の高さはカセットの高さの４分の１以下（１．２／６．４）である。
【００３７】
実施例４
本実施例の包埋トレイ１は、図１２〜１４に示すように、底部３とそれを取り囲む側壁４とから形成される方形の容器からなるパラフィン収容部２と、該収容部２の上端、即ち、該収容部２の開口部に四辺とも低く立設された係止壁６からなる。
パラフィン収容部２の右側の角部は若干内側に陥入されてアール処理されてカセット支承部５が設けられ、左側の角部は右側の角部と比較して大きく嵌入され大きいカセット支承部５ａが設けられている。これによりパラフィン収容部２は左右非対称とされており、パラフィンブロックから顕微鏡標本を作製した後も、その検体に付随するパラフィンの形状を見ることによりその検体の向きを判断できる。
【００３８】
図１５は、本実施例の包埋トレイ１の断面図を実線で示すと共に、検体ＳとカセットＣを破線で示した図である。なお、図１５におけるカセットＣは図１７及び図２０に示したものである。この包埋トレイ１は、破線で示したように、検体Ｓをパラフィン収容部２に投入するとともに、カセット本体Ｃ１をカセット支承部５の上に載置して使用する。本実施例の場合、包埋トレイ１のいずれの辺にもカセット支承部５及び把持部７が設けられていないため、任意の辺に記録部Ｃ３を配置でき、言い換えると、カセットＣのいずれの側面に被験者の名前等Ｎを記載しても、盛り上がったパラフィンＰにより隠される恐れがない。
【００３９】
本実施例の包埋トレイ１の上下左右の各側壁４，４においてカセット支承部５，５の間の部分は、側壁４からその上端の係止壁６まで略面一とされ、即ちこの部分には支承部や把持部といった水平部分がなく、係止壁６から側壁４にかけてパラフィンが溜まるところがない。従って、本実施例の包埋トレイ１を用いて使用したパラフィンブロックＢでは、固化したパラフィンが盛り上がって記録部に記載される文字等Ｎが隠される事もない。
なお、図１６で示したように、パラフィンブロックＢの角部ではパラフィンＰがカセット支承部５の上部で少し盛り上がっているが、この程度の盛り上がりは特に問題ではなく、また、通常の場合、名前等Ｎは記録部Ｃ３の中央寄りに記録されるため、実質的に記録の読み取りには支障がない。
【００４０】
本実施例においてパラフィン収容部の大きさは、開口部が４０ｍｍ×２８ｍｍ、底部が３６．６ｍｍ×２５．６ｍｍ、高さが８ｍｍである。パラフィン収容部の上端に立設された係止壁の高さは０．８ｍｍである。なお、使用する予定のカセットの高さは６．４ｍｍであるので、記録部が配置される側壁の係止壁の高さはカセットの高さの４分の１以下（０．８／６．４）である。
【産業上の利用可能性】
【００４１】
叙上のとおり、本発明の病理組織検査標本作成用の包埋トレイは、本体の側面に記録部が設けられたカセットを用いてパラフィンブロック付着体を作成する際に、記録部にパラフィンが付着して該記録部の文字が見え難くなることがなく、また、付着したパラフィンを除去する煩雑なトリミング作業が不要であるため、病理組織検査標本を作成する作業性や検査の信頼性が大幅に高められ、その有用性は頗る大である。
【図面の簡単な説明】
【００４２】
【図１】本発明の包埋トレイの実施例１を示す平面図である。
【図２】実施例１の側面図である。
【図３】実施例１の正面図である。
【図４】実施例１（図１）のＡ−Ａ断面図である。
【図５】実施例１の包埋トレイを使用して作成したパラフィンブロックである。
【図６】本発明の包埋トレイの実施例２を示す平面図である。
【図７】本発明の包埋トレイの実施例３を示す平面図である。
【図８】実施例３の側面図である。
【図９】実施例３の正面図である。
【図１０】実施例３（図７）のＢ−Ｂ断面図である。
【図１１】実施例３の包埋トレイを使用して作成したパラフィンブロックである。
【図１２】本発明の包埋トレイの実施例４を示す平面図である。
【図１３】実施例４の側面図である。
【図１４】実施例４の正面図である。
【図１５】実施例４（図１２）のＣ−Ｃ断面図である。
【図１６】実施例４の包埋トレイを使用して作成したパラフィンブロックである。
【図１７】カセットの例を示す斜視図である。
【図１８】カセットの他の例を示す斜視図である。
【図１９】従来の包埋トレイの例を示す斜視図である。
【図２０】カセット内に検体を入れた状態を示す断面図である。
【図２１】カセット内に検体を入れた状態を示す断面図である。
【図２２】従来の顕微鏡標本の作製方法を示す説明図である。
【図２３】従来の顕微鏡標本の作製方法を示す説明図である。
【符号の説明】
【００４３】
１  包埋トレイ
２  パラフィン収容部
３  底部
４  側壁
５、５ａ  カセット支承部
６  係止壁
７  把持部
Ｃ  カセット
Ｃ１  本体
Ｃ２  蓋
Ｃ３  記録部
Ｃ４  透孔
Ｃ５  アダプター係止部
Ｐ  パラフィン
Ｐ１  余分なパラフィン
Ｓ  検体
Ｔ  従来のトレイ
Ｔ１  底部
Ｔ２  カセット支承部
Ｔ３  カセット係止部
Ｔ４  額縁部
Ｔ５  把持部
Ｂ  パラフィンブロック
Ｎ  被験者の名前等
【図１】
2008145218.tif 000003
【図２】
2008145218.tif 000004
【図３】
2008145218.tif 000005
【図４】
2008145218.tif 000006
【図５】
2008145218.tif 000007
【図６】
2008145218.tif 000008
【図７】
2008145218.tif 000009
【図８】
2008145218.tif 000010
【図９】
2008145218.tif 000011
【図１０】
2008145218.tif 000012
【図１１】
2008145218.tif 000013
【図１２】
2008145218.tif 000014
【図１３】
2008145218.tif 000015
【図１４】
2008145218.tif 000016
【図１５】
2008145218.tif 000017
【図１６】
2008145218.tif 000018
【図１７】
2008145218.tif 000019
【図１８】
2008145218.tif 000020
【図１９】
2008145218.tif 000021
【図２０】
2008145218.tif 000022
【図２１】
2008145218.tif 000023
【図２２】
2008145218.tif 000024
【図２３】
2008145218.tif 000025